(57)【特許請求の範囲】
【請求項１】
背面板の外縁を取り囲む周壁との協働により区画凹所を形成し、該区画凹所に揮散剤を充填する容器本体と、揮散孔を設けた正面板によって該区画凹所を閉鎖する一方、該正面板の縁部に形成した側壁にて前記周壁の外側を覆う蓋体と、を備える揮散剤容器において、
前記周壁に、前記側壁に向けて突き出す鍔部を設け、
前記側壁に、前記鍔部と係合して前記容器本体から前記蓋体を抜け出し不能に連結する爪部を形成し、
前記正面板に、前記容器本体に向けた押し込みにより前記側壁を外側に弾性変形させて前記鍔部と爪部との係合を解除する押圧部とを設け、
前記押圧部は、押圧力を直接付与して前記係合を解除する押圧部本体と、該押圧部本体を前記正面板に保持する少なくとも一つの弾性片からなり、
前記押圧部本体は、該押圧部本体の背面に傾斜部を有し、
前記側壁に、該押圧部本体の押し込みにより該傾斜部と当接して該側壁を外側に向けて押し出す端縁を形成したことを特徴とする揮散剤容器。
【請求項２】
前記傾斜部は、前記爪部の幅端よりも外側に、間隔をあけて複数配置されたものである、請求項１記載の揮散剤容器。
【請求項３】
前記容器本体が、レフィル容器である請求項１又は２に記載の揮散剤容器。
【発明の詳細な説明】
【技術分野】
【０００１】
本発明は、芳香剤、消臭剤等の揮散する成分を含む揮散剤を充填した容器本体と、この容器本体を着脱可能に保持する蓋体とからなる容器に関するものであって、揮散剤の効果が失われてきた際には、面倒な作業を伴うことなく簡単に容器本体を交換することができる揮散剤容器に関する。
【背景技術】
【０００２】
芳香剤等の揮散剤を内容物として充填した容器は、例えば内容物が液状ものにあっては容器の口部に揮散器を取り付け、該揮散器を通して内容物を揮散させることが一般に行われている（例えば特許文献１参照）。この種の容器について内容物を使いきって詰替えを行う場合には、まず蓋の如き揮散器を容器から取り外す必要があり、内容物を新しいものに交換して揮散器を容器に取り付けする場合にも相互の位置を合わせる必要があって、面倒な作業を伴うものであった。特に近年では内容物を液状のものからゲル状の如きものへと移行される傾向があるものの、かかる内容物を充填した容器（レフィル容器）についても内容物を使いきった後には取替えが必要であり、この種の容器については内容物の形態の違いにかかわらず、詰替え作業の一層の簡素化が求められていた。
【先行技術文献】
【特許文献】
【０００３】
【特許文献１】特開２００５−１３１０２１号公報
【発明の概要】
【発明が解決しようとする課題】
【０００４】
本発明の課題は、芳香剤等の揮散剤を充填した容器本体の交換を、面倒な作業を伴うことなく簡単に行うことができる、新規な揮散剤容器を提案するところにある。
【課題を解決するための手段】
【０００５】
本発明は、背面板の外縁を取り囲む周壁との協働により区画凹所を形成し、該区画凹所に揮散剤を充填する容器本体と、揮散孔を設けた正面板によって該区画凹所を閉鎖する一方、該正面板の縁部に形成した側壁にて前記周壁の外側を覆う蓋体と、を備える揮散剤容器において、
前記周壁に、前記側壁に向けて突き出す鍔部を設け、
前記側壁に、前記鍔部と係合して前記容器本体から前記蓋体を抜け出し不能に連結する爪部を形成し、
前記正面板に、前記容器本体に向けた押し込みにより前記側壁を外側に弾性変形させて前記鍔部と爪部との係合を解除する押圧部とを設け、
前記押圧部は、押圧力を直接付与して前記係合を解除する押圧部本体と、該押圧部本体を前記正面板に保持する少なくとも一つの弾性片からなり、
前記押圧部本体は、該押圧部本体の背面に傾斜部を有し、
前記側壁に、該押圧部本体の押し込みにより該傾斜部と当接して該側壁を外側に向けて押し出す端縁を形成したことを特徴とする揮散剤容器である。
【０００８】
前記傾斜部は、前記爪部の幅端よりも外側に、間隔をあけて複数配置されたものであることが望ましい。
【０００９】
前記容器本体が、レフィル容器であることが望ましい。
【発明の効果】
【００１０】
揮散剤を充填する容器本体の周壁に鍔部を設け、蓋体の側壁に、この鍔部と係合する爪部を形成する一方、蓋体の正面板に、押し込みによって側壁を外側に弾性変形させる押圧部とを設けたので、この押圧部を押し込むだけで鍔部と爪部との係合が外れて容器本体を取り外すことができ、揮散剤の交換作業が容易となる。
【００１１】
押圧部を、押圧力を直接付与して鍔部と爪部との係合を解除させる押圧部本体と、この押圧部本体を正面板に弾性保持する弾性片で構成したので、簡易な構造で容器本体を簡単に取り外すことができる。
【００１２】
押圧部本体の背面に傾斜部を形成し、側壁に傾斜部と当接する端縁を設けたので、押圧力が小さくても無理なく側壁を外側に押し出して係合を解除させることができる。
【００１３】
傾斜部を、爪部の幅端よりも外側に、間隔をあけて複数配置したので、押圧部本体を押し込むと確実に容器本体を取り外すことができる。
【００１４】
容器本体をレフィル容器としたので、内ケースに揮散剤を移し替える必要がなく、詰替え作業が簡単になる。
【図面の簡単な説明】
【００１５】
【図１】本発明に従う揮散剤容器の実施の形態を示した斜視図である。
【図２】図１に示す揮散剤容器につき、容器本体を蓋体に取り付ける前の状態を示した斜視図である。
【図３】図１に示す揮散剤容器につき、Ａ１−Ａ１における断面図である。
【図４】本発明に従う揮散剤容器の他の実施の形態を示した図であり、（ａ）は、押圧部の要部を示す正面図であり、（ｂ）は、Ａ２−Ａ２における断面図である。
【発明を実施するための形態】
【００１６】
以下、図面を参照して、本発明をより具体的に説明する。
図１は、本発明に従う揮散剤容器の実施の形態を示した斜視図であり、図２は、図１に示す揮散剤容器につき、容器本体を蓋体に取り付ける前の状態を示した斜視図であり、図３は、図１に示す揮散剤容器につき、Ａ１−Ａ１における断面図である。
【００１７】
図１において、１は芳香剤や消臭剤等の揮散する成分を含んだ揮散剤を内容物として充填した容器本体であり、２は容器本体１を着脱可能に収容する蓋体である。
【００１８】
容器本体１は、図２、図３に示すように、背面板１ａと、背面板１ａの外縁を取り囲む周壁１ｂを備えており、背面板１ａと周壁１ｂとが協働して区画凹所Ｍを形成している。周壁１ｂには、外側に向けて突き出した鍔部１ｃが設けられている。図２に示す例では、鍔部１ｃが周壁１ｂを全周に亘って取り囲んでいるが、周壁１ｂの一部に設けられていても良い。また図示の例では、周壁１ｂの端部１ｂ１に沿って鍔部１ｃを設けているが、端部１ｂ１よりも内側（端部１ｂ１から背面板１ａに向かう側）であってもよい。
【００１９】
区画凹所Ｍには、図示しない揮散剤が内容物として充填されており、区画凹所Ｍの口部には、揮散剤が外部へ漏れ出さない程度に窓孔１ｄを貫通させた、蓋としてのシート１ｅが貼り付けられている。窓孔１ｄは、複数箇所設けられていることが望ましいが、少なくとも一箇所形成してあれば内容物を揮散させることが可能である。また市場で流通する際には、窓孔１ｄが図示しない薄手のフィルム（シール用）で覆われているので外部へ揮散することはなく、使用直前にフィルムをはぎ取ることで揮散が可能となる。容器本体１は、薄肉のプラスチック等で形成されて軽量化が図られており、また材料の使用量も少なくなるので安価に製造することが可能である。容器本体１は、内容物を使い切った後には新しい揮散剤を収納した容器本体１ごと交換することが可能な、レフィル容器とすることができる。
【００２０】
蓋体２は、容器本体１を収容した際に背面板１ａと対向する配置となる正面板２ａと、正面板２ａの縁部において一体連結し、容器本体１の周壁１ｂ及び鍔部１ｃの外側を覆う側壁２ｂとを備えている。正面板２ａには、この正面板２ａを表裏において貫いた揮散孔２ｃが形成されており、容器本体１を収容した際には、揮散孔２ｃを残して区画凹所Ｍを閉鎖することができる。図示の例では、側壁２ｂが正面板２ａを全周に亘って取り囲んでいるが、少なくとも鍔部１ｃを覆っていれば良い。
【００２１】
側壁２ｂは、この側壁２ｂの内側に鍔部１ｃと係合する爪部２ｄを備えている。爪部２ｄは、背面板１ａと向かい合う面２ｄ１が正面板２ａに向けて傾斜しており、容器本体１を蓋体２に収容する際には、周壁１ｂから垂直に突き出した鍔部１ｃが面２ｄ１と当接しながら側壁２ｂを外側に向けて押し出すので、容易に取り付けることができる。また正面板２ａと向かい合う面２ｄ２は、側壁２ｂから垂下されており、爪部２ｄは鍔部１ｃと係合して蓋体２を抜け出し不能に連結させることができる。図示の例では、容器本体１を取り付ける際の奥行き方向のストッパーとして、側壁２ｂの内側の面に鍔部１ｃ（又は鍔部１ｃに貼り付けられたシート１ｅ）と当接する凸部２ｂ１を設けているが、容器本体１に正面板２ａと当接する突起を形成しても良いし、鍔部１ｃまたは端部１ｂ１が正面板２ａに直接当接するようにしても良い。
【００２２】
正面板２ａは押圧部２ｅを備えており、押圧部２ｅを容器本体１に向けて押し込んで、側壁２ｂを外側に向けて弾性変形させて、鍔部１ｃと爪部２ｄとの係合を解除することができる。押圧部２ｅは、押圧力を直接付与して鍔部１ｃと爪部２ｄとの係合を解除する押圧部本体２ｅ１が、少なくとも一つの弾性片２ｅ２により正面板２ａに弾性保持されている。図示の例では、正面板２ａと側壁２ｂの相互間に形成した開口部２ｆと正面板２ａに設けた揮散孔２ｃとによって、押圧部本体２ｅ１は２つの弾性片２ｅ２により正面板２ａに両端支持されているが、正面板２ａと１箇所でつながっていてもよいし（片持ち支持）、３箇所以上とつながっていてもよい。押圧部本体２ｅ１は、背面（背面板１ａと対向する面）に傾斜部２ｅ３を備えており、側壁２ｂは、開口部２ｆで切り取って形成された端縁２ｂ２を有している。これにより押圧部本体２ｅ１を押し込むと、傾斜部２ｅ３は端縁２ｂ２と当接し、側壁２ｂを弾性変形させて外側に押し出すので、小さな押圧力であっても鍔部１ｃと爪部２ｄとの係合を解除することが可能となる。なお押圧部２ｅは、図示の例では揮散剤容器の上部に設けられているが、側部に設けても下部に設けても良い。
【００２３】
傾斜部２ｅ３は、図４（ａ）に示す正面視において、爪部２ｄの幅端２ｄ３よりも外側であって、間隔をあけて複数配置することが好ましい。図４（ａ）、（ｂ）に示す例では、爪部２ｄを間に挟んで、傾斜部２ｅ３を左右に１つずつ配置したものを示している。これにより、押圧部本体２ｅ１が傾いて押し込まれても、左右どちらかの傾斜部２ｅ３が端縁２ｂ２に当接して側壁２ｂを押し出すことができるので、容器本体１を確実に取り外すことが可能となる。
【００２４】
押圧部２ｅは、凹部２ｅ４を備えていることが好ましい。これにより指当たりが良くなるとともに、押圧する部位の目印となる。
【００２５】
側壁２ｂは、上部と下部の側壁端部２ｂ３が、背面板１ａと略同じ位置か、背面板１ａよりも外側に飛び出していることが好ましい。これにより揮散剤容器を安定して自立させることができるとともに、容器を移動させる際には上側の側壁端部２ｂ３に指がかかって保持し易くなる。また左右の側壁２ｂには、切欠き２ｂ４を設けることが好ましい。これにより容器本体１の左右の周壁１ｂが露出されるので、片手で容器本体１を把持し、もう一方の手で押圧部本体２ｅ１を押し込んで、簡単に容器本体１を取り外すことが可能となる。
【産業上の利用可能性】
【００２６】
本発明によれば、芳香剤等の揮散剤を充填した容器本体の交換を、面倒な作業を伴うことなく簡単に行うことが可能となる揮散剤容器を提供できる。
【符号の説明】
【００２７】
１    容器本体
１ａ  背面板
１ｂ  周壁
１ｃ  鍔部
１ｄ  窓孔
１ｅ  シート
２    蓋体
２ａ  正面板
２ｂ  側壁
２ｃ  揮散孔
２ｄ  爪部
２ｅ  押圧部
２ｆ  開口部
【図１】
0005554149.tif 000002
【図２】
0005554149.tif 000003
【図３】
0005554149.tif 000004
【図４】
0005554149.tif 000005